(57)【要約】【課題】　人類は重力を打消し空中に浮遊する乗物の夢を持ち、巨大な火柱を噴射してその反作用で飛行するロケットを考えた。何兆円の費用を使い何十人の命を失敗に合って焼き殺す悲劇を乗り越えてきた。【解決手段】　重力を打ち消す装置が本発明で、その為高速で回転する下向きのノズルから高速の水を射出させその反作用で重力を打ち消す浮遊力を獲得し、下向きのノズルから出た高速の水から得た合成ベクトル８方向の利用により、反作用で得た強大な浮遊力を、構造上の利点を利用して、削減されるのを大部分除去させ得たものである。【選択図】　図３2004108374.tif 000004
2004108374.tif 000002
【特許請求の範囲】
【請求項１】
　　円筒形の枠兼水槽の上部の中央付近に蓄電池等の電源で起動する小出力の垂直型電動機を固定し、その軸と軸承を通じ貫通した軸を有し、その軸に固定されて自由に回転しうる中空円盤の内部に複数の放射状に固定した仕切板を固定し、中空円盤の周辺に回転方向と逆方向に水を射出するノズルと適宜離れた位置に下向きに水を射出するノズルを固定してそれらを１組として複数組等間隔に固定させ、枠兼水槽下部の軸承の付近に、下部に多数の水流孔を有し、かつ中空円盤の中央部の孔と接触しない高さを有する円筒を枠兼水槽底面の中央部に固定しかつそれを中心に放射状配置の導水板を複数固定し、枠兼水槽の底面に固定された円筒内部で軸に固定されて近接して回転し中空円盤への揚水作用を遂行する細長い板を螺旋状に固定して成る重力を打ち消す装置。
【発明の詳細な説明】
【発明の詳細な説明】
【技術分野】
【０００１】　本発明は水力回転機械に属するが、今日まで全く存在しなかった特異な、重力を打ち消す装置に関係する。従って本発明を理解する為に、大学院用の水力学書から援用した公知の水力学的基本現象を、図１に関連して再認識要する。
　図１中の斜視図に示された丈夫な箱１’に水を充満させ２’を回りうる固定点として矢３’の方向にノズル４’と６’を速度Ｖで回転したとき、図中のノズル４’と６’を閉じているとき、そのノズル４’と６’の先端付近では法線加速度による水頭Ｈがｇを重力加速度としたとき、Ｈ＝Ｖ２／２ｇになる。この証明方法は公知だから省略する。つぎに点２’付近から箱１’内に満水を保持継続する程度に給水しつつ、口径を同じにしたノズル４’と６’の栓を取り先端から水を射出させると、ノズル４’と６’からそれぞれ５’と７’の方向に水が噴射しそ
2004108374.tif 000003
４’の射出水は勿論速度Ｖで、ρを水の比質量、Ｑを単位時間に射出する流量とすると、回転方向３’の方向に回りながら、かつ反作用で推している力はＦ＝ρＱＶとなる事は周知のとおりである。再確認するならこの力Ｆが常に矢３’の方向に速度Ｖで回転させつずけているのである。ここでノズル４’の射出水５’は単位時間にエネルギーすなわち推力×速度＝Ｆ×Ｖ＝ρＱＶ２を箱１’を左回りの回転方向３’に与えつずけている。他方に於て、速度Ｖで射出水をノズル４’と６’から射出するのに、回転中心の固定点２’の速度ゼロの所から速度Ｖにいたらしめ、しかも単位時間に水量Ｑを送り出すのに供給を要するエネルギーは１／２ρＱＶ２×２（＝ノズル２本分の意味）＝ρＱＶ２になる。これは既に説明したノズル４’から矢５’に射出した単位時間に与えてくれたエネルギーＦ×Ｖ＝ρＱＶ２に等しく、装置全体としては相殺され外部には出ないのである。故に回転方向３’に箱１’を回転継続させるには永久運動機械ではないので外部から風損、軸受損に当たる機械損分のエネルギーを与えねばならない。
　以上が大学院用水力学書にあった本発明に極めて参考となった要約である。本発明は、以上の参考事項の上に従来全く存在しなかった、重力を打ち消す装置に発展させ得た画期的技術分野である。
【背景技術】
【０００２】　人類が重力を打ち消して空中に舞い上がるのには、莫大な燃料を携えて火柱を末端から噴射してその反作用の力で飛行するロケットかジェットエンジンによる方法しかなかった。そのため国家予算に悪影響を与える巨費を国防の美名のもとに公然と使い、失敗で爆発した時は、多数の人々が炎に焼かれる悲劇に耐えてきた。故に本発明による重力を打ち消す装置は、人類史上最大規模の経済産業軍事改革を起こすだろう。従来、ガス噴射の反作用で宇宙に舞い上がるしか知らなかった人類にとって、大改革が従来の技術に与えられるだろう。
【発明を実施するための最良の形態】
【０００３】　本発明は、図４中の中空円盤１の部分的平面図中に示した、矢３の方向に速度Ｖで回転する際にノズル４とノズル６が射出水矢５と矢７を噴射した際に、図１に関連してノズル４’について既に詳述した通り反作用の力Ｆ＝ρＱＶが、当然ノズル６’についても反作用の力Ｆ＝ρＱＶとして発生することになる。同様の反作用の力Ｆ＝ρＱＶが図４中のノズル４とノズル６にも発生することは自明である。既に図１中と同様にこの反作用力は、本発明実施機に於いて図４中のノズル４とノズル６に係る反作用の力は、ノズル４に作用する力が矢３の方向へ中空円盤１を回転させる力になり、一方ノズル６に作用する力は重力を打ち消す力となって装置全体を空中に舞い上げさせる原因になるのである。図２の速度の合成ベクトルの正面図中ノズル６’に当たる所から下向きの射出水を示す矢７と回転方向を示す矢３’が速度Ｖで互いに９０度の関係になって、その合成ベクトル８’は矢７’の下向きの射出水と４５度の関係になる。これは図４中に示した矢７の下向きの射出水が枠兼水槽１２の導水板１６の近くの平らな底面に垂直に激突しえないことを証明している。ノズル６から出た射出水矢７は、もし枠兼水槽１２の底の平らな所へ落ちても４５度の傾斜で落下するので、その衝撃即ち削減力Ｆ’＝ρＱＶ×ｓｉｎ４５°＝ρＱＶ×約０．７で、これでもまだρＱＶ×約０．３だけが装置全体として、ノズル６の各個毎に空中に舞い上げようとする力になる。本発明の構造が偶然に産んだ恩恵である。現実的試算として、今１台当り４個のノズル６を有し、トルクを相殺するため左回りと右回りの２台を抱き合わせて１組とし、どのくらい舞い上がる力が有るか計算する。そこでノズル６から出る射出水７の直径０．０５ｍで横断面積Ａは０．００２ｍ２で２台の合計８個とし、ノズル６の回転直径１ｍ、速度１００ｍ／Ｓ即ち１９０９．８５ｒｐｍ、ρを１０２ｋｇ．Ｓ２／ｍ４と仮定して、この装置はＱ＝ＡＶなのでρＱＶ×０．３×８＝ρＡＶ２×０．３×８＝１０２×０．００２×１００２×約０．３×８（個）＝４８９６（ｋｇ）が空中に舞い上がる力となる。装置自体の大部分を強化プラスチックで作れば、軸２は機械損と揚水用関連装置１３と２０に係るものに耐えうるものに多少の安全率を乗じて得た比較的細い物で耐えうるから、全体で２０００ｋｇで済もう。故に４８９６−２０００＝２８９６ｋｇを積載する余裕が出る。ついでながら本発明実施機は永久運動機械ではないので、図５中の電動機１８の電源を切れば停止する。本発明実施機は、日本から２人位を月や火星に旅行させる画期的事件が突如として起こるだろう。本発明は権威の有る大学院用水力学書の数量的裏ずけの有る各種現象の組み合わせから、論理的必然性により成立させた装置であるから、直ちに設計製造に着手して、失敗する事はない。参考として、図４中のノズル４の射出水矢５は、中空円盤１が矢３の方向に速度Ｖで回転しているので、逆方向に速度Ｖで矢５の方向に射出されるから、地球対の速度は零となり各位置でノズル４を離れると真下の方向に降下するのである。それらは円形に張られた水幕のように見えるだろう、一方ノズル６から真下に矢７のように降下した水は速度と同速で矢３方向への影響で当然図２に関して説明したように合成ベクトル矢８’の方向に進んで行く。この時図３中に示した矢８の様に静止時の水面１１が矢８の高速に誘導されて放物線回転体面１０になり、その周辺が競り上がって高速で回っている水が、枠兼水槽１２の側面に速度Ｖに近い状態であたり、側面の水自体も同様速度Ｖ近い状態で円運動中のため枠兼水槽１２の側壁を遠心力も加勢して圧迫しようとする力に成る、その為に矢８の水は運動エネルギーが消耗されて図３中の枠兼水槽１２の底面に到る衝撃力の元はほとんど無くなるので、図４中のノズル６の射出水矢７が装置全体に及ぼした反作用の力Ｆ＝ρＱＶを削減する力はほとんどない事は明らかでる。だから既に説示してきた８個のノズル６が装置全体を空中に舞い上げる力４８９６ｋｇの大部分が残存する。注意したいのは本発明の実施機は、上空５千米位の零下３０度位で運用されるので大部分は不凍液を使わねばならない。又本明細書によく使われる水の比質量ρは零度で１０２．０３ｋｇ．Ｓ２／ｍ４、毎秒の流量Ｑはｍ３／Ｓ、速度Ｖはｍ／ＳでいずれもＭＫＳ単位による。本発明の実施機は回転軸２を前後に僅か傾けると強力な水平分力が発生し自由に前進と後退が出来る。
添付の図面を援用して本発明実施の全体構造を説明する。図５中に示した全体を組み立てた際の部分的縦断図中に示したように、円筒形の枠兼水槽１２と蓋２３は金属又は強化プラスチックで作られる。蓋２３の中央に蓄電池等の電源で起動する小出力の垂直軸型電動機１８を固定する。電動機１８の軸２の軸承は蓋２３に固定されその軸２に中空円盤１と上部の蓋１７を固定する。当然中空円盤１は軸２と共に回転する。中空円盤１は周囲に、射出水５が矢３と逆方向になるノズル４と射出水が真下に向かう方向に向けたノズル６を１組として、複数組等間隔に固定する。中空円盤１の底面に放射状に複数個の仕切板２２を固定し更に蓋２３とも固定する。軸２の下部の軸承１９が固定される枠兼水槽１２の底面に導水板１６を放射状に数枚を固定し、水が高速回転するのを制御して水が同じく底面に固定された揚水用円筒２０の複数個の孔１４’に入りやすいように配慮する。この揚水用円筒２０は中空円盤１の中央下部の水路孔２１と接触しない程度の高さにする。水は軸２の高速回転により図６中空円盤１の揚水関連機構を示す部分的断面図中の軸２に固定された螺旋状の細長い板１３の揚水作用で孔１４’から矢１４の方向へと進み、中空円盤１の中央下部の水路孔２１を経て内部の遠心力で吸引される様になる。静止時の水面１１は図３と図５中に示したが、必ずしもこの水量が理想と言うのではなく一つの参考である。図５全体を組み立てた際の部分的縦断図中の１５は、円形のチューブを２つ割りにした半円断面を有する金属等の環状のものを枠兼水槽１の内壁に固定した水の上昇防止具であり、装置が傾斜した際に特に大切な働きをする。
【発明の効果】
【０００４】　この発明実施機は全世界から１０年以内にヘリコプターを廃止させ旅客機が極めて短い滑走で離着陸が可能となり、自動車、鉄道が全部この発明実施機になろう。月、火星に大建造物が地球から運搬され、ロケットで飛んだ事は笑い話になろう。かくして人類史上最大の経済、産業の大改革が招来されよう、軍事情勢に於いても大変革が起きるだろう。２１世紀の新巨大文明が花を開くだろう。
【図面の簡単な説明】
【図１】　基本現象に関する斜視図、
【図２】　速度の合成ベクトルの正面図、
【図３】　線図的かつ立体的合成ベクトル関係を示す図、
【図４】　中空円盤の部分的正面図、
【図５】　全体を組み立てた際の部分的縦断図、
【図６】　中空円盤の揚水関連機構を示す部分的断面図である。
【符号の説明】
　　１’　箱、２’　固定点、３’　回転方向を示す矢、４’　ノズル、５’　射出水の方向を示す矢、６’　ノズル、７’　射出水の方向を示す矢、８’　速度の合成ベクトルを示す矢、１　中空円盤の部分的正面図、２　軸、３　回転方向を示す矢、４　ノズル、５　射出水の方向を示す矢、６　ノズル、７　射出水の方向を示す矢、８　速度の合成ベクトルの方向を示す矢、１０　立体的かつ線図的に示した放物線回転体面の概略図、１１　線図的に示した静止時の水面、１２　枠兼水槽、１３　螺旋状細長い板の側面図、１４’　揚水が入る円筒の孔、１４　中空円盤の揚水通路を示す矢、１５　半円形の断面を有し環状の水の上昇防止具、１６　導水板、１７　中空円盤の上部の蓋、１８　電動機、１９　軸受、２０　揚水用円筒、２１　中空円盤の中央下部の水路孔、２２　仕切板、２３　枠兼水槽の蓋である。
【図１】
2004108374.tif 000005
【図２】
2004108374.tif 000006
【図３】
2004108374.tif 000007
【図４】
2004108374.tif 000008
【図５】
2004108374.tif 000009
【図６】
2004108374.tif 000010